【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
局部発振器信号を生成する方法であって、
局部発振器生成モジュールにおいて、受信された注入信号に基づいて、前記局部発振器信号を生成することと、
注入信号生成モジュールにおいて、前記局部発振器信号と受信された電圧制御発振器（ＶＣＯ）信号とに基づいて、前記注入信号を生成することと
を備え、前記注入信号生成モジュールは、少なくとも３つの異なるセットの注入信号を同時に与えるようにプログラマブルである、方法。
【請求項２】
前記局部発振器生成モジュールはｎ個の遅延段とｎ個の注入信号入力とを備え、前記ｎ個の注入信号入力の各々は異なる対の遅延段の間にあり、前記ｎ個の注入信号入力の各々は前記注入信号生成モジュールによって独立して制御される、請求項１に記載の方法。
【請求項３】
前記局部発振器生成モジュールは複数の遅延段を備え、前記方法は、前記局部発振器生成モジュールに結合された同調モジュールにおいて、前記局部発振器信号の周波数を同調させることをさらに備える、請求項１に記載の方法。
【請求項４】
前記同調モジュールにおいて、前記局部発振器信号の前記周波数を同調させるために、前記遅延段の各々のキャパシタンスを調節することをさらに備える、請求項３に記載の方法。
【請求項５】
前記同調させることは、
前記局部発振器信号の周波数を決定することと、
前記決定された周波数を前記局部発振器信号のターゲット周波数と比較することと、
前記周波数と前記ターゲット周波数との間の差分がしきい値未満になるまで前記局部発振器信号の前記周波数を段階的に調節することとを備える、請求項３に記載の方法。
【請求項６】
分割比選択モジュールにおいて、複数の利用可能な分割比のうちの分割比を選択することと、
前記選択された分割比を前記注入信号生成モジュールに与えることとをさらに備え、ここにおいて、前記注入信号は前記受信された選択された分割比に基づいて生成される、請求項１に記載の方法。
【請求項７】
前記分割比は、少なくとも３つの利用可能な分割比のうちの１つから選択される、請求項６に記載の方法。
【請求項８】
前記注入信号生成モジュールおよび前記局部発振器生成モジュールにおいて、前記分割比選択モジュールからの入力に基づいて、３、４、または５にほぼ等しい分割比で、前記受信されたＶＣＯ信号の周波数を分割することと、
前記分割比選択モジュールからの前記入力に基づいて、前記分割された周波数の各々にある前記局部発振器信号を別個に与えることとをさらに備える、請求項７に記載の方法。
【請求項９】
ＶＣＯモジュールにおいて、前記ＶＣＯ信号を前記注入信号生成モジュールに与えることをさらに備える、請求項１に記載の方法。
【請求項１０】
前記注入信号生成モジュールにおいて、前記局部発振器信号の所望の周波数の３倍、４倍、または５倍にほぼ等しい周波数にある前記ＶＣＯ信号を受信することをさらに備える、請求項１に記載の方法。
【請求項１１】
前記受信されたＶＣＯ信号は第１のＶＣＯ信号と第２のＶＣＯ信号とを備え、前記局部発振器生成モジュールは複数の局部発振器出力を有し、前記注入信号生成モジュールは複数の注入信号入力を有し、前記局部発振器出力は第１の局部発振器出力信号と第２の局部発振器出力信号とを備え、前記注入信号生成モジュールは第１のトランジスタと第２のトランジスタとを備え、複数の注入信号出力のうちの注入信号出力は前記第１のトランジスタのドレインに、および前記第２のトランジスタのドレインに結合され、前記第１のトランジスタのソースは前記第１のＶＣＯ信号に結合され、前記第２のトランジスタのソースは前記第２のＶＣＯ信号に結合される、請求項１に記載の方法。
【請求項１２】
前記第１のトランジスタのゲートは、３の分割比が選択されるとき前記第１の局部発振器出力信号に結合され、４の分割比が選択されるとき電源電圧に結合され、５の分割比が選択されるとき前記第１の局部発振器出力信号に結合され、前記第２のトランジスタのゲートが、３の分割比が選択されるとき前記第２の局部発振器出力信号に結合され、４の分割比が選択されるとき回路接地に結合され、５の分割比が選択されるとき前記第２の局部発振器出力信号に結合される、請求項１１に記載の方法。
【請求項１３】
前記第１のトランジスタのゲートは、３の分割比が選択されるとき前記第１の局部発振器出力信号に結合され、４の分割比が選択されるとき回路接地に結合され、５の分割比が選択されるとき前記第２の局部発振器出力信号に結合され、前記第２のトランジスタのゲートが、３の分割比が選択されるとき前記第２の局部発振器出力信号に結合され、４の分割比が選択されるとき電源電圧に結合され、５の分割比が選択されるとき前記第１の局部発振器出力信号に結合される、請求項１１に記載の方法。
【請求項１４】
前記第１のトランジスタのゲートは、３の分割比が選択されるとき前記第２の局部発振器出力信号に結合され、４の分割比が選択されるとき電源電圧に結合され、５の分割比が選択されるとき前記第１の局部発振器出力信号に結合され、前記第２のトランジスタのゲートは、３の分割比が選択されるとき前記第１の局部発振器出力信号に結合され、４の分割比が選択されるとき回路接地に結合され、５の分割比が選択されるとき前記第２の局部発振器出力信号に結合される、請求項１１に記載の方法。
【請求項１５】
局部発振器信号を生成するための装置であって、
局部発振器生成モジュールにおいて、受信された注入信号に基づいて、前記局部発振器信号を生成するための手段と、
注入信号生成モジュールにおいて、前記局部発振器信号と受信された電圧制御発振器（ＶＣＯ）信号とに基づいて、前記注入信号を生成するための手段と
を備え、前記注入信号生成モジュールは、少なくとも３つの異なるセットの注入信号を同時に与えるようにプログラマブルである、装置。
【手続補正２】
【補正対象書類名】明細書
【補正対象項目名】００６０
【補正方法】変更
【補正の内容】
【００６０】
[0072]  以上の説明は、当業者が本明細書で説明された様々な態様を実践することを可能にするために提供される。これら態様に対する様々な変更は当業者にとってすぐにわかることであり、本明細書で定義された一般原理は他の態様に適用され得る。従って、特許請求の範囲は、本明細書に示された態様に限定されるものではなく、特許請求の範囲の文言に矛盾しない最大限の範囲を与えられるべきであり、単数形の要素への言及は、そのように明記されていない限り、「ただ１つの」を意味するものではなく、「１つまたは複数の」を意味するものである。別段に明記されていない限り、「いくつかの」という語は１つまたは複数を指す。当業者に知られている、または後に知られることになる、本開示全体にわたって説明された様々な態様の要素の全ての構造的および機能的等価物は、参照により本明細書に明確に組み込まれ、特許請求の範囲に包含されるものである。さらに、本明細書で開示されいずれもが、そのような開示が特許請求の範囲にはっきりと記載されているかどうかにかかわらず、公に供することを意図されたものではない。いかなる請求項要素も、その要素が「のための手段」という語句を使用して明確に記載されていない限り、ミーンズプラスファンクションとして解釈されるべきではない。
以下に、出願当初の特許請求の範囲に記載された発明を付記する。
［Ｃ１］
局部発振器信号を生成するための装置であって、
複数の局部発振器出力と複数の注入信号入力とを有する、局部発振器生成モジュールと、前記局部発振器モジュールは、前記注入信号入力上で受信された注入信号に基づいて、前記局部発振器出力上で前記局部発振器信号を生成するように構成される、
前記局部発振器生成モジュールに結合された注入信号生成モジュールと、前記注入信号生成モジュールは複数の局部発振器入力と複数の注入信号出力とを有し、前記局部発振器入力は前記局部発振器出力に結合され、前記注入信号出力は前記注入信号入力に結合され、前記注入信号生成モジュールは、前記局部発振器入力上で受信された前記局部発振器信号に基づいて、および、受信された電圧制御発振器（ＶＣＯ）信号に基づいて、前記注入信号出力上で注入信号を生成するように構成される、を備える装置。
［Ｃ２］
前記注入信号生成モジュールは、少なくとも３つの異なるセットの注入信号を与えるようにプログラマブルである、Ｃ１に記載の装置。
［Ｃ３］
前記局部発振器生成モジュールはｎ個の遅延段とｎ個の注入信号入力とを備え、前記ｎ個の注入信号入力の各々は異なる対の遅延段の間にあり、前記ｎ個の注入信号入力の各々は前記注入信号生成モジュールによって独立して制御される、Ｃ１に記載の装置。
［Ｃ４］
前記局部発振器生成モジュールは複数の遅延段を備え、前記装置は前記局部発振器生成モジュールに結合された同調モジュールをさらに備え、前記同調モジュールは前記局部発振器信号の周波数を同調させるように構成される、Ｃ１に記載の装置。
［Ｃ５］
前記同調モジュールは、前記局部発振器信号の前記周波数を同調させるために、前記遅延段の各々のキャパシタンスを調節するように構成される、Ｃ４に記載の装置。
［Ｃ６］
前記同調モジュールは、前記局部発振器信号の周波数を決定することと、前記決定された周波数を前記局部発振器信号のターゲット周波数と比較することと、前記周波数と前記ターゲット周波数との間の差分がしきい値未満になるまで前記局部発振器信号の前記周波数を段階的に調節することとを行うように構成される、Ｃ４に記載の装置。
［Ｃ７］
複数の利用可能な分割比のうちの分割比を選択することと、前記選択された分割比を前記注入信号生成モジュールに与えることとを行うように構成された、分割比選択モジュールをさらに備え、ここにおいて、前記注入信号生成モジュールは、前記受信された選択された分割比に基づいて、前記注入信号を生成するようにさらに構成される、Ｃ１に記載の装置。
［Ｃ８］
前記分割比選択モジュールは、少なくとも３つの利用可能な分割比のうちの１つから前記分割比を選択するように構成される、Ｃ７に記載の装置。
［Ｃ９］
前記少なくとも３つの利用可能な分割比は、ほぼ３の分割比と、ほぼ４の分割比と、ほぼ５の分割比とを含む、Ｃ８に記載の装置。
［Ｃ１０］
前記注入信号生成モジュールおよび前記局部発振器生成モジュールは、共に前記分割比選択モジュールからの入力に基づいて、３、４、または５にほぼ等しい分割比で、前記受信されたＶＣＯ信号の周波数を分割することと、前記分割比選択モジュールからの前記入力に基づいて、前記分割された周波数の各々にある前記局部発振器信号を別個に与えることとを行うように構成される、Ｃ８に記載の装置。
［Ｃ１１］
前記ＶＣＯ信号を前記注入信号生成モジュールに与えるように構成されたＶＣＯモジュールをさらに備える、Ｃ１に記載の装置。
［Ｃ１２］
前記注入信号生成モジュールは、前記局部発振器信号の所望の周波数の３倍にほぼ等しい周波数にある前記ＶＣＯ信号を受信するように構成される、Ｃ１に記載の装置。
［Ｃ１３］
前記受信されたＶＣＯ信号に基づいて、前記注入信号生成モジュールは、前記ＶＣＯ信号の前記周波数−前記局部発振器信号の周波数にほぼ等しい周波数にある、第１の注入信号と、第２の注入信号と、第３の注入信号と、第４の注入信号とを与えるように構成され、前記第１の注入信号はαにほぼ等しい位相を有し、前記第２の注入信号はαにほぼ等しい位相を有し、前記第３の注入信号はα＋πにほぼ等しい位相を有し、前記第４の注入信号はα＋πにほぼ等しい位相を有する、Ｃ１２に記載の装置。
［Ｃ１４］
前記受信された注入信号に基づいて、前記局部発振器生成モジュールは、前記注入信号の前記周波数の１／２にほぼ等しい周波数にある前記局部発振器信号を生成するように構成される、Ｃ１３に記載の装置。
［Ｃ１５］
前記局部発振器生成モジュールは直列に結合された４つの遅延段を備え、前記４つの遅延段は、第２の遅延段と第４の遅延段との間に直列に結合された第１の遅延段と、前記第１の遅延段と第３の遅延段との間に直列に結合された前記第２の遅延段と、前記第２の遅延段と前記第４の遅延段との間に直列に結合された前記第３の遅延段と、前記第３の遅延段と前記第１の遅延段との間に直列に結合された前記第４の遅延段とを備え、ここにおいて、前記第１の注入信号は前記第１の遅延段と前記第２の遅延段との間の第１の注入信号入力に印加され、前記第２の注入信号は前記第２の遅延段と前記第３の遅延段との間の第２の注入信号入力に印加され、前記第３の注入信号は前記第３の遅延段と前記第４の遅延段との間の第３の注入信号入力に印加され、前記第４の注入信号は前記第４の遅延段と前記第１の遅延段との間の第４の注入信号入力に印加される、Ｃ１３に記載の装置。
［Ｃ１６］
前記注入信号生成モジュールは、前記局部発振器信号の所望の周波数の４倍にほぼ等しい周波数にある前記ＶＣＯ信号を受信するように構成される、Ｃ１に記載の装置。
［Ｃ１７］
前記受信されたＶＣＯ信号に基づいて、前記注入信号生成モジュールは、前記ＶＣＯ信号の前記周波数にほぼ等しい周波数にある、第１の注入信号と、第２の注入信号と、第３の注入信号と、第４の注入信号とを与えるように構成され、前記第１の注入信号はαにほぼ等しい位相を有し、前記第２の注入信号はα＋πにほぼ等しい位相を有し、前記第３の注入信号はαにほぼ等しい位相を有し、前記第４の注入信号はα＋πにほぼ等しい位相を有する、Ｃ１６に記載の装置。
［Ｃ１８］
前記受信された注入信号に基づいて、前記局部発振器生成モジュールは、前記注入信号の前記周波数の１／４にほぼ等しい周波数にある前記局部発振器信号を生成するように構成される、Ｃ１７に記載の装置。
［Ｃ１９］
前記局部発振器生成モジュールは直列に結合された４つの遅延段を備え、前記４つの遅延段は、第２の遅延段と第４の遅延段との間に直列に結合された第１の遅延段と、前記第１の遅延段と第３の遅延段との間に直列に結合された前記第２の遅延段と、前記第２の遅延段と前記第４の遅延段との間に直列に結合された前記第３の遅延段と、前記第３の遅延段と前記第１の遅延段との間に直列に結合された前記第４の遅延段とを備え、ここにおいて、前記第１の注入信号は前記第１の遅延段と前記第２の遅延段との間の第１の注入信号入力に印加され、前記第２の注入信号は前記第２の遅延段と前記第３の遅延段との間の第２の注入信号入力に印加され、前記第３の注入信号は前記第３の遅延段と前記第４の遅延段との間の第３の注入信号入力に印加され、前記第４の注入信号は前記第４の遅延段と前記第１の遅延段との間の第４の注入信号入力に印加される、Ｃ１７に記載の装置。
［Ｃ２０］
前記注入信号生成モジュールは、前記局部発振器信号の所望の周波数の５倍にほぼ等しい周波数にある前記ＶＣＯ信号を受信するように構成される、Ｃ１に記載の装置。
［Ｃ２１］
前記受信されたＶＣＯ信号に基づいて、前記注入信号生成モジュールは、前記ＶＣＯ信号の前記周波数−前記局部発振器信号の周波数にほぼ等しい周波数にある、第１の注入信号と、第２の注入信号と、第３の注入信号と、第４の注入信号とを与えるように構成され、前記第１の注入信号はαにほぼ等しい位相を有し、前記第２の注入信号はα＋πにほぼ等しい位相を有し、前記第３の注入信号はαにほぼ等しい位相を有し、前記第４の注入信号はα＋πにほぼ等しい位相を有する、Ｃ２０に記載の装置。
［Ｃ２２］
前記受信された注入信号に基づいて、前記局部発振器生成モジュールは、前記注入信号の前記周波数の１／４にほぼ等しい周波数にある前記局部発振器信号を生成するように構成される、Ｃ２１に記載の装置。
［Ｃ２３］
前記局部発振器生成モジュールは、直列に結合された４つの遅延段を備え、前記４つの遅延段は、第２の遅延段と第４の遅延段との間に直列に結合された第１の遅延段と、前記第１の遅延段と第３の遅延段との間に直列に結合された前記第２の遅延段と、前記第２の遅延段と前記第４の遅延段との間に直列に結合された前記第３の遅延段と、前記第３の遅延段と前記第１の遅延段との間に直列に結合された前記第４の遅延段とを備え、ここにおいて、前記第１の注入信号は前記第１の遅延段と前記第２の遅延段との間の第１の注入信号入力に印加され、前記第２の注入信号は前記第２の遅延段と前記第３の遅延段との間の第２の注入信号入力に印加され、前記第３の注入信号は前記第３の遅延段と前記第４の遅延段との間の第３の注入信号入力に印加され、前記第４の注入信号は前記第４の遅延段と前記第１の遅延段との間の第４の注入信号入力に印加される、Ｃ２１に記載の装置。
［Ｃ２４］
前記受信されたＶＣＯ信号は第１のＶＣＯ信号と第２のＶＣＯ信号とを備え、前記局部発振器出力は第１の局部発振器出力信号と第２の局部発振器出力信号とを備え、前記注入信号生成モジュールは第１のトランジスタと第２のトランジスタとを備え、前記複数の注入信号出力のうちの注入信号出力は前記第１のトランジスタのドレインにおよび前記第２のトランジスタのドレインに結合され、前記第１のトランジスタのソースは前記第１のＶＣＯ信号に結合され、前記第２のトランジスタのソースは前記第２のＶＣＯ信号に結合される、Ｃ１に記載の装置。
［Ｃ２５］
前記第１のトランジスタのゲートは、３の分割比が選択されるとき前記第１の局部発振器出力信号に結合され、４の分割比が選択されるとき電源電圧に結合され、５の分割比が選択されるとき前記第１の局部発振器出力信号に結合され、前記第２のトランジスタのゲートが、３の分割比が選択されるとき前記第２の局部発振器出力信号に結合され、４の分割比が選択されるとき回路接地に結合され、５の分割比が選択されるとき前記第２の局部発振器出力信号に結合される、Ｃ２４に記載の装置。
［Ｃ２６］
前記第１のトランジスタのゲートは、３の分割比が選択されるとき前記第１の局部発振器出力信号に結合され、４の分割比が選択されるとき回路接地に結合され、５の分割比が選択されるとき前記第２の局部発振器出力信号に結合され、前記第２のトランジスタのゲートが、３の分割比が選択されるとき前記第２の局部発振器出力信号に結合され、４の分割比が選択されるとき電源電圧に結合され、５の分割比が選択されるとき前記第１の局部発振器出力信号に結合される、Ｃ２４に記載の装置。
［Ｃ２７］
前記第１のトランジスタのゲートは、３の分割比が選択されるとき前記第２の局部発振器出力信号に結合され、４の分割比が選択されるとき電源電圧に結合され、５の分割比が選択されるとき前記第１の局部発振器出力信号に結合され、前記第２のトランジスタのゲートが、３の分割比が選択されるとき前記第１の局部発振器出力信号に結合され、４の分割比が選択されるとき回路接地に結合され、５の分割比が選択されるとき前記第２の局部発振器出力信号に結合される、Ｃ２４に記載の装置。
［Ｃ２８］
前記第１のトランジスタのゲートは、３の分割比が選択されるとき前記第２の局部発振器出力信号に結合され、４の分割比が選択されるとき回路接地に結合され、５の分割比が選択されるとき前記第２の局部発振器出力信号に結合され、前記第２のトランジスタのゲートが、３の分割比が選択されるとき前記第１の局部発振器出力信号に結合され、４の分割比が選択されるとき電源電圧に結合され、５の分割比が選択されるとき前記第１の局部発振器出力信号に結合される、Ｃ２４に記載の装置。
［Ｃ２９］
局部発振器信号を生成する方法であって、
局部発振器生成モジュールにおいて、受信された注入信号に基づいて、前記局部発振器信号を生成することと、
注入信号生成モジュールにおいて、前記局部発振器信号と受信された電圧制御発振器（ＶＣＯ）信号とに基づいて、前記注入信号を生成することとを備える方法。
［Ｃ３０］
前記注入信号生成モジュールは、少なくとも３つの異なるセットの注入信号を与えるようにプログラマブルである、Ｃ２９に記載の方法。
［Ｃ３１］
前記局部発振器生成モジュールはｎ個の遅延段とｎ個の注入信号入力とを備え、前記ｎ個の注入信号入力の各々は異なる対の遅延段の間にあり、前記ｎ個の注入信号入力の各々は前記注入信号生成モジュールによって独立して制御される、Ｃ２９に記載の方法。
［Ｃ３２］
前記局部発振器生成モジュールは複数の遅延段を備え、前記方法は、前記局部発振器生成モジュールに結合された同調モジュールにおいて、前記局部発振器信号の周波数を同調させることをさらに備える、Ｃ２９に記載の方法。
［Ｃ３３］
前記同調モジュールにおいて、前記局部発振器信号の前記周波数を同調させるために、前記遅延段の各々のキャパシタンスを調節することをさらに備える、Ｃ３２に記載の方法。
［Ｃ３４］
前記同調させることは、
前記局部発振器信号の周波数を決定することと、
前記決定された周波数を前記局部発振器信号のターゲット周波数と比較することと、
前記周波数と前記ターゲット周波数との間の差分がしきい値未満になるまで前記局部発振器信号の前記周波数を段階的に調節することとを備える、Ｃ３２に記載の方法。
［Ｃ３５］
分割比選択モジュールにおいて、複数の利用可能な分割比のうちの分割比を選択することと、
前記選択された分割比を前記注入信号生成モジュールに与えることとをさらに備え、ここにおいて、前記注入信号は前記受信された選択された分割比に基づいて生成される、Ｃ２９に記載の方法。
［Ｃ３６］
前記分割比は、少なくとも３つの利用可能な分割比のうちの１つから選択される、Ｃ３５に記載の方法。
［Ｃ３７］
前記少なくとも３つの利用可能な分割比は、ほぼ３の分割比と、ほぼ４の分割比と、ほぼ５の分割比とを含む、Ｃ３６に記載の方法。
［Ｃ３８］
前記注入信号生成モジュールおよび前記局部発振器生成モジュールにおいて、前記分割比選択モジュールからの入力に基づいて、３、４、または５にほぼ等しい分割比で、前記受信されたＶＣＯ信号の周波数を分割することと、
前記分割比選択モジュールからの前記入力に基づいて、前記分割された周波数の各々にある前記局部発振器信号を別個に与えることとをさらに備える、Ｃ３６に記載の方法。
［Ｃ３９］
ＶＣＯモジュールにおいて、前記ＶＣＯ信号を前記注入信号生成モジュールに与えることをさらに備える、Ｃ２９に記載の方法。
［Ｃ４０］
前記注入信号生成モジュールにおいて、前記局部発振器信号の所望の周波数の３倍にほぼ等しい周波数にある前記ＶＣＯ信号を受信することをさらに備える、Ｃ２９に記載の方法。
［Ｃ４１］
前記方法は、前記受信されたＶＣＯ信号に基づいて、および、前記注入信号生成モジュールにおいて、前記ＶＣＯ信号の前記周波数−前記局部発振器信号の周波数にほぼ等しい周波数にある、第１の注入信号と、第２の注入信号と、第３の注入信号と、第４の注入信号とを与えることをさらに備え、前記第１の注入信号はαにほぼ等しい位相を有し、前記第２の注入信号はαにほぼ等しい位相を有し、前記第３の注入信号はα＋πにほぼ等しい位相を有し、前記第４の注入信号はα＋πにほぼ等しい位相を有する、Ｃ４０に記載の方法。
［Ｃ４２］
前記受信された注入信号に基づいて、および、前記局部発振器生成モジュールにおいて、前記注入信号の前記周波数の１／２にほぼ等しい周波数にある前記局部発振器信号を生成することをさらに備える、Ｃ４１に記載の方法。
［Ｃ４３］
前記局部発振器生成モジュールは、直列に結合された４つの遅延段を備え、前記４つの遅延段は、第２の遅延段と第４の遅延段との間に直列に結合された第１の遅延段と、前記第１の遅延段と第３の遅延段との間に直列に結合された前記第２の遅延段と、前記第２の遅延段と前記第４の遅延段との間に直列に結合された前記第３の遅延段と、前記第３の遅延段と前記第１の遅延段との間に直列に結合された前記第４の遅延段とを備え、ここにおいて、前記第１の注入信号は前記第１の遅延段と前記第２の遅延段との間の第１の注入信号入力に印加され、前記第２の注入信号は前記第２の遅延段と前記第３の遅延段との間の第２の注入信号入力に印加され、前記第３の注入信号は前記第３の遅延段と前記第４の遅延段との間の第３の注入信号入力に印加され、前記第４の注入信号は前記第４の遅延段と前記第１の遅延段との間の第４の注入信号入力に印加される、Ｃ４１に記載の方法。
［Ｃ４４］
前記注入信号生成モジュールにおいて、前記局部発振器信号の所望の周波数の４倍にほぼ等しい周波数にある前記ＶＣＯ信号を受信することをさらに備える、Ｃ２９に記載の方法。
［Ｃ４５］
前記方法は、前記受信されたＶＣＯ信号に基づいて、および、前記注入信号生成モジュールにおいて、前記ＶＣＯ信号の前記周波数にほぼ等しい周波数にある、第１の注入信号と、第２の注入信号と、第３の注入信号と、第４の注入信号とを与えることをさらに備え、前記第１の注入信号はαにほぼ等しい位相を有し、前記第２の注入信号はα＋πにほぼ等しい位相を有し、前記第３の注入信号はαにほぼ等しい位相を有し、前記第４の注入信号はα＋πにほぼ等しい位相を有する、Ｃ４４に記載の方法。
［Ｃ４６］
前記受信された注入信号に基づいて、および、前記局部発振器生成モジュールにおいて、前記注入信号の前記周波数の１／４にほぼ等しい周波数にある前記局部発振器信号を生成することをさらに備える、Ｃ４５に記載の方法。
［Ｃ４７］
前記局部発振器生成モジュールは直列に結合された４つの遅延段を備え、前記４つの遅延段は、第２の遅延段と第４の遅延段との間に直列に結合された第１の遅延段と、前記第１の遅延段と第３の遅延段との間に直列に結合された前記第２の遅延段と、前記第２の遅延段と前記第４の遅延段との間に直列に結合された前記第３の遅延段と、前記第３の遅延段と前記第１の遅延段との間に直列に結合された前記第４の遅延段とを備え、ここにおいて、前記第１の注入信号は前記第１の遅延段と前記第２の遅延段との間の第１の注入信号入力に印加され、前記第２の注入信号は前記第２の遅延段と前記第３の遅延段との間の第２の注入信号入力に印加され、前記第３の注入信号は前記第３の遅延段と前記第４の遅延段との間の第３の注入信号入力に印加され、前記第４の注入信号は前記第４の遅延段と前記第１の遅延段との間の第４の注入信号入力に印加される、Ｃ４５に記載の方法。
［Ｃ４８］
前記注入信号生成モジュールにおいて、前記局部発振器信号の所望の周波数の５倍にほぼ等しい周波数にある前記ＶＣＯ信号を受信することをさらに備える、Ｃ２９に記載の方法。
［Ｃ４９］
前記方法は、前記受信されたＶＣＯ信号に基づいて、および、前記注入信号生成モジュールにおいて、前記ＶＣＯ信号の前記周波数−前記局部発振器信号の周波数にほぼ等しい周波数にある、第１の注入信号と、第２の注入信号と、第３の注入信号と、第４の注入信号とを与えることをさらに備え、前記第１の注入信号はαにほぼ等しい位相を有し、前記第２の注入信号はα＋πにほぼ等しい位相を有し、前記第３の注入信号はαにほぼ等しい位相を有し、前記第４の注入信号はα＋πにほぼ等しい位相を有する、Ｃ４８に記載の方法。
［Ｃ５０］
前記受信された注入信号に基づいて、および、前記局部発振器生成モジュールにおいて、前記注入信号の前記周波数の１／４にほぼ等しい周波数にある前記局部発振器信号を生成することをさらに備える、Ｃ４９に記載の方法。
［Ｃ５１］
前記局部発振器生成モジュールは直列に結合された４つの遅延段を備え、前記４つの遅延段は、第２の遅延段と第４の遅延段との間に直列に結合された第１の遅延段と、前記第１の遅延段と第３の遅延段との間に直列に結合された前記第２の遅延段と、前記第２の遅延段と前記第４の遅延段との間に直列に結合された前記第３の遅延段と、前記第３の遅延段と前記第１の遅延段との間に直列に結合された前記第４の遅延段とを備え、ここにおいて、前記第１の注入信号は前記第１の遅延段と前記第２の遅延段との間の第１の注入信号入力に印加され、前記第２の注入信号は前記第２の遅延段と前記第３の遅延段との間の第２の注入信号入力に印加され、前記第３の注入信号は前記第３の遅延段と前記第４の遅延段との間の第３の注入信号入力に印加され、前記第４の注入信号は前記第４の遅延段と前記第１の遅延段との間の第４の注入信号入力に印加される、Ｃ４９に記載の方法。
［Ｃ５２］
前記受信されたＶＣＯ信号は第１のＶＣＯ信号と第２のＶＣＯ信号とを備え、前記局部発振器生成モジュールは複数の局部発振器出力を有し、前記注入信号生成モジュールは複数の注入信号入力を有し、前記局部発振器出力は第１の局部発振器出力信号と第２の局部発振器出力信号とを備え、前記注入信号生成モジュールは第１のトランジスタと第２のトランジスタとを備え、前記複数の注入信号出力のうちの注入信号出力は前記第１のトランジスタのドレインに、および前記第２のトランジスタのドレインに結合され、前記第１のトランジスタのソースは前記第１のＶＣＯ信号に結合され、前記第２のトランジスタのソースは前記第２のＶＣＯ信号に結合される、Ｃ２９に記載の方法。
［Ｃ５３］
前記第１のトランジスタのゲートは、３の分割比が選択されるとき前記第１の局部発振器出力信号に結合され、４の分割比が選択されるとき電源電圧に結合され、５の分割比が選択されるとき前記第１の局部発振器出力信号に結合され、前記第２のトランジスタのゲートが、３の分割比が選択されるとき前記第２の局部発振器出力信号に結合され、４の分割比が選択されるとき回路接地に結合され、５の分割比が選択されるとき前記第２の局部発振器出力信号に結合される、Ｃ５２に記載の方法。
［Ｃ５４］
前記第１のトランジスタのゲートは、３の分割比が選択されるとき前記第１の局部発振器出力信号に結合され、４の分割比が選択されるとき回路接地に結合され、５の分割比が選択されるとき前記第２の局部発振器出力信号に結合され、前記第２のトランジスタのゲートが、３の分割比が選択されるとき前記第２の局部発振器出力信号に結合され、４の分割比が選択されるとき電源電圧に結合され、５の分割比が選択されるとき前記第１の局部発振器出力信号に結合される、Ｃ５２に記載の方法。
［Ｃ５５］
前記第１のトランジスタのゲートは、３の分割比が選択されるとき前記第２の局部発振器出力信号に結合され、４の分割比が選択されるとき電源電圧に結合され、５の分割比が選択されるとき前記第１の局部発振器出力信号に結合され、前記第２のトランジスタのゲートは、３の分割比が選択されるとき前記第１の局部発振器出力信号に結合され、４の分割比が選択されるとき回路接地に結合され、５の分割比が選択されるとき前記第２の局部発振器出力信号に結合される、Ｃ５２に記載の方法。
［Ｃ５６］
前記第１のトランジスタのゲートは、３の分割比が選択されるとき前記第２の局部発振器出力信号に結合され、４の分割比が選択されるとき回路接地に結合され、５の分割比が選択されるとき前記第２の局部発振器出力信号に結合され、前記第２のトランジスタのゲートは、３の分割比が選択されるとき前記第１の局部発振器出力信号に結合され、４の分割比が選択されるとき電源電圧に結合され、５の分割比が選択されるとき前記第１の局部発振器出力信号に結合される、Ｃ５２に記載の方法。
［Ｃ５７］
局部発振器信号を生成するための装置であって、
局部発振器生成モジュールにおいて、受信された注入信号に基づいて、前記局部発振器信号を生成するための手段と、
注入信号生成モジュールにおいて、前記局部発振器信号と受信された電圧制御発振器（ＶＣＯ）信号とに基づいて、前記注入信号を生成するための手段とを備える装置。
［Ｃ５８］
前記注入信号生成モジュールは、少なくとも３つの異なるセットの注入信号を与えるようにプログラマブルである、Ｃ５７に記載の装置。
［Ｃ５９］
前記局部発振器生成モジュールはｎ個の遅延段とｎ個の注入信号入力とを備え、前記ｎ個の注入信号入力の各々は異なる対の遅延段の間にあり、前記ｎ個の注入信号入力の各々は前記注入信号生成モジュールによって独立して制御される、Ｃ５７に記載の装置。
［Ｃ６０］
前記局部発振器生成モジュールは複数の遅延段を備え、前記装置は、前記局部発振器生成モジュールに結合された同調モジュールにおいて、前記局部発振器信号の周波数を同調させるための手段をさらに備える、Ｃ５７に記載の装置。
［Ｃ６１］
前記同調モジュールにおいて、前記局部発振器信号の前記周波数を同調させるために、前記遅延段の各々のキャパシタンスを調節するための手段をさらに備える、Ｃ６０に記載の装置。
［Ｃ６２］
同調させるための前記手段は、
前記局部発振器信号の周波数を決定することと、
前記決定された周波数を前記局部発振器信号のターゲット周波数と比較することと、
前記周波数と前記ターゲット周波数との間の差分がしきい値未満になるまで、前記局部発振器信号の前記周波数を段階的に調節することとを行うように構成される、Ｃ６０に記載の装置。
［Ｃ６３］
分割比選択モジュールにおいて、複数の利用可能な分割比のうちの分割比を選択するための手段と、
前記選択された分割比を前記注入信号生成モジュールに与えるための手段とをさらに備え、 
ここにおいて、前記注入信号は前記受信された選択された分割比に基づいて生成される、Ｃ５７に記載の装置。
［Ｃ６４］
前記分割比は、少なくとも３つの利用可能な分割比のうちの１つから選択される、Ｃ６３に記載の装置。
［Ｃ６５］
前記少なくとも３つの利用可能な分割比は、ほぼ３の分割比と、ほぼ４の分割比と、ほぼ５の分割比とを含む、Ｃ６４に記載の装置。
［Ｃ６６］
前記注入信号生成モジュールおよび前記局部発振器生成モジュールにおいて、前記分割比選択モジュールからの入力に基づいて、３、４、または５にほぼ等しい分割比で、前記受信されたＶＣＯ信号の周波数を分割するための手段と、
前記分割比選択モジュールからの前記入力に基づいて、前記分割された周波数の各々にある前記局部発振器信号を別個に与えるための手段とをさらに備える、Ｃ６４に記載の装置。
［Ｃ６７］
ＶＣＯモジュールにおいて、前記ＶＣＯ信号を前記注入信号生成モジュールに与えるための手段をさらに備える、Ｃ５７に記載の装置。
［Ｃ６８］
前記注入信号生成モジュールにおいて、前記局部発振器信号の所望の周波数の３倍にほぼ等しい周波数にある前記ＶＣＯ信号を受信するための手段をさらに備える、Ｃ５７に記載の装置。
［Ｃ６９］
前記装置は、前記受信されたＶＣＯ信号に基づいて、および、前記注入信号生成モジュールにおいて、前記ＶＣＯ信号の前記周波数−前記局部発振器信号の周波数にほぼ等しい周波数にある、第１の注入信号と、第２の注入信号と、第３の注入信号と、第４の注入信号とを与えるための手段をさらに備え、前記第１の注入信号はαにほぼ等しい位相を有し、前記第２の注入信号はαにほぼ等しい位相を有し、前記第３の注入信号はα＋πにほぼ等しい位相を有し、前記第４の注入信号はα＋πにほぼ等しい位相を有する、Ｃ６８に記載の装置。
［Ｃ７０］
前記受信された注入信号に基づいて、および、前記局部発振器生成モジュールにおいて、前記注入信号の前記周波数の１／２にほぼ等しい周波数にある前記局部発振器信号を生成するための手段をさらに備える、Ｃ６９に記載の装置。
［Ｃ７１］
前記局部発振器生成モジュールは、直列に結合された４つの遅延段を備え、前記４つの遅延段は、第２の遅延段と第４の遅延段との間に直列に結合された第１の遅延段と、前記第１の遅延段と第３の遅延段との間に直列に結合された前記第２の遅延段と、前記第２の遅延段と前記第４の遅延段との間に直列に結合された前記第３の遅延段と、前記第３の遅延段と前記第１の遅延段との間に直列に結合された前記第４の遅延段とを備え、ここにおいて、前記第１の注入信号は前記第１の遅延段と前記第２の遅延段との間の第１の注入信号入力に印加され、前記第２の注入信号は前記第２の遅延段と前記第３の遅延段との間の第２の注入信号入力に印加され、前記第３の注入信号は前記第３の遅延段と前記第４の遅延段との間の第３の注入信号入力に印加され、前記第４の注入信号は前記第４の遅延段と前記第１の遅延段との間の第４の注入信号入力に印加される、Ｃ６９に記載の装置。
［Ｃ７２］
前記注入信号生成モジュールにおいて、前記局部発振器信号の所望の周波数の４倍にほぼ等しい周波数にある前記ＶＣＯ信号を受信するための手段をさらに備える、Ｃ５７に記載の装置。
［Ｃ７３］
前記装置は、前記受信されたＶＣＯ信号に基づいて、および、前記注入信号生成モジュールにおいて、前記ＶＣＯ信号の前記周波数にほぼ等しい周波数にある、第１の注入信号と、第２の注入信号と、第３の注入信号と、第４の注入信号とを与えるための手段をさらに備え、前記第１の注入信号はαにほぼ等しい位相を有し、前記第２の注入信号はα＋πにほぼ等しい位相を有し、前記第３の注入信号はαにほぼ等しい位相を有し、前記第４の注入信号はα＋πにほぼ等しい位相を有する、Ｃ７２に記載の装置。
［Ｃ７４］
前記受信された注入信号に基づいて、および、前記局部発振器生成モジュールにおいて、前記注入信号の前記周波数の１／４にほぼ等しい周波数にある前記局部発振器信号を生成するための手段をさらに備える、Ｃ７３に記載の装置。
［Ｃ７５］
前記局部発振器生成モジュールは直列に結合された４つの遅延段を備え、前記４つの遅延段は、第２の遅延段と第４の遅延段との間に直列に結合された第１の遅延段と、前記第１の遅延段と第３の遅延段との間に直列に結合された前記第２の遅延段と、前記第２の遅延段と前記第４の遅延段との間に直列に結合された前記第３の遅延段と、前記第３の遅延段と前記第１の遅延段との間に直列に結合された前記第４の遅延段とを備え、ここにおいて、前記第１の注入信号は前記第１の遅延段と前記第２の遅延段との間の第１の注入信号入力に印加され、前記第２の注入信号は前記第２の遅延段と前記第３の遅延段との間の第２の注入信号入力に印加され、前記第３の注入信号は前記第３の遅延段と前記第４の遅延段との間の第３の注入信号入力に印加され、前記第４の注入信号は前記第４の遅延段と前記第１の遅延段との間の第４の注入信号入力に印加される、Ｃ７３に記載の装置。
［Ｃ７６］
前記注入信号生成モジュールにおいて、前記局部発振器信号の所望の周波数の５倍にほぼ等しい周波数にある前記ＶＣＯ信号を受信するための手段をさらに備える、Ｃ５７に記載の装置。
［Ｃ７７］
前記装置は、前記受信されたＶＣＯ信号に基づいて、および、前記注入信号生成モジュールにおいて、前記ＶＣＯ信号の前記周波数−前記局部発振器信号の周波数にほぼ等しい周波数にある、第１の注入信号と、第２の注入信号と、第３の注入信号と、第４の注入信号とを与えるための手段をさらに備え、前記第１の注入信号はαにほぼ等しい位相を有し、前記第２の注入信号はα＋πにほぼ等しい位相を有し、前記第３の注入信号はαにほぼ等しい位相を有し、前記第４の注入信号はα＋πにほぼ等しい位相を有する、Ｃ７６に記載の装置。
［Ｃ７８］
前記受信された注入信号に基づいて、および、前記局部発振器生成モジュールにおいて、前記注入信号の前記周波数の１／４にほぼ等しい周波数にある前記局部発振器信号を生成するための手段をさらに備える、Ｃ７７に記載の装置。
［Ｃ７９］
前記局部発振器生成モジュールは直列に結合された４つの遅延段を備え、前記４つの遅延段は、第２の遅延段と第４の遅延段との間に直列に結合された第１の遅延段と、前記第１の遅延段と第３の遅延段との間に直列に結合された前記第２の遅延段と、前記第２の遅延段と前記第４の遅延段との間に直列に結合された前記第３の遅延段と、前記第３の遅延段と前記第１の遅延段との間に直列に結合された前記第４の遅延段とを備え、ここにおいて、前記第１の注入信号は前記第１の遅延段と前記第２の遅延段との間の第１の注入信号入力に印加され、前記第２の注入信号は前記第２の遅延段と前記第３の遅延段との間の第２の注入信号入力に印加され、前記第３の注入信号は前記第３の遅延段と前記第４の遅延段との間の第３の注入信号入力に印加され、前記第４の注入信号は前記第４の遅延段と前記第１の遅延段との間の第４の注入信号入力に印加される、Ｃ７７に記載の装置。
［Ｃ８０］
前記受信されたＶＣＯ信号は第１のＶＣＯ信号と第２のＶＣＯ信号とを備え、前記局部発振器生成モジュールは複数の局部発振器出力を有し、前記注入信号生成モジュールは複数の注入信号入力を有し、前記局部発振器出力は第１の局部発振器出力信号と第２の局部発振器出力信号とを備え、前記注入信号生成モジュールは第１のトランジスタと第２のトランジスタとを備え、前記複数の注入信号出力のうちの注入信号出力は前記第１のトランジスタのドレインに、および前記第２のトランジスタのドレインに結合され、前記第１のトランジスタのソースは前記第１のＶＣＯ信号に結合され、前記第２のトランジスタのソースは前記第２のＶＣＯ信号に結合される、Ｃ５７に記載の装置。
［Ｃ８１］
前記第１のトランジスタのゲートは、３の分割比が選択されるとき前記第１の局部発振器出力信号に結合され、４の分割比が選択されるとき電源電圧に結合され、５の分割比が選択されるとき前記第１の局部発振器出力信号に結合され、前記第２のトランジスタのゲートは、３の分割比が選択されるとき前記第２の局部発振器出力信号に結合され、４の分割比が選択されるとき回路接地に結合され、５の分割比が選択されるとき前記第２の局部発振器出力信号に結合される、Ｃ８０に記載の装置。
［Ｃ８２］
前記第１のトランジスタのゲートは、３の分割比が選択されるとき前記第１の局部発振器出力信号に結合され、４の分割比が選択されるとき回路接地に結合され、５の分割比が選択されるとき前記第２の局部発振器出力信号に結合され、前記第２のトランジスタのゲートは、３の分割比が選択されるとき前記第２の局部発振器出力信号に結合され、４の分割比が選択されるとき電源電圧に結合され、５の分割比が選択されるとき前記第１の局部発振器出力信号に結合される、Ｃ８０に記載の装置。
［Ｃ８３］
前記第１のトランジスタのゲートは、３の分割比が選択されるとき前記第２の局部発振器出力信号に結合され、４の分割比が選択されるとき電源電圧に結合され、５の分割比が選択されるとき前記第１の局部発振器出力信号に結合され、前記第２のトランジスタのゲートは、３の分割比が選択されるとき前記第１の局部発振器出力信号に結合され、４の分割比が選択されるとき回路接地に結合され、５の分割比が選択されるとき前記第２の局部発振器出力信号に結合される、Ｃ８０に記載の装置。
［Ｃ８４］
前記第１のトランジスタのゲートは、３の分割比が選択されるとき前記第２の局部発振器出力信号に結合され、４の分割比が選択されるとき回路接地に結合され、５の分割比が選択されるとき前記第２の局部発振器出力信号に結合され、前記第２のトランジスタのゲートは、３の分割比が選択されるとき前記第１の局部発振器出力信号に結合され、４の分割比が選択されるとき電源電圧に結合され、５の分割比が選択されるとき前記第１の局部発振器出力信号に結合される、Ｃ８０に記載の装置。